【手続補正書】
【提出日】平成18年8月24日(2006.8.24)
【手続補正１】
【補正対象書類名】明細書
【補正対象項目名】特許請求の範囲
【補正方法】変更
【補正の内容】
【特許請求の範囲】
【請求項１】
細長く、長手方向の軸線を備え、内端と外端とを有し、脊柱の２つの椎体の間の椎間板スペースに移植され、前記椎間板スペースの固定に適合するための椎体間固定装置と、
前記外端の固定具受け部材と、
前記外端に取り付けられる取付プレートと、を備え、
前記取付プレートは、上記２つの椎体の各々へ固定されるように形成されており、前記取付プレートおよび前記固定装置の前記外端は、固定装置の長手方向軸線に対して前記プレートの種々の角度をとることを可能にする相互係合支承面を有し、
前記椎体間固定用組立体はさらに、前記受け部材及びプレートに係合し、前記プレートを前記椎体間固定装置に接続する固定具を備える、椎体間固定用組立体。
【請求項２】
前記プレートは細長く、開口を有し、前記開口は、該開口を通る固定具受け部材を受ける、請求項１に記載の組立体。
【請求項３】
前記椎体間固定装置は、前記外端に前記支承面の一方としてのドーム形状部分を有し、
前記プレートは、前記椎体間固定装置のドーム形状部分に係合する他方の支承面を有する、請求項１に記載の組立体。
【請求項４】
前記プレートの支承面に係合する装置のドーム形状部分は、球形である、請求項３に記載の組立体。
【請求項５】
前記プレートの前記支承面は、球形である、請求項４に記載の組立体。
【請求項６】
前記プレートは、細長く、長手方向に軸線を有し、長手方向の軸線に直角な軸線を備えた開口を有し、前記開口から延びている２つのウイングを有し、前記ウイングは、椎体の湾曲した外面に係合する内側支承面を有し、前記内側支承面は、椎体の輪郭と合致する輪郭を有する、請求項３に記載の組立体。
【請求項７】
前記輪郭を有する内側支承面は、前記プレートの長手方向軸線及び前記開口の軸線を含む平面に直角な軸線の周りで湾曲している、請求項６に記載の組立体。
【請求項８】
前記輪郭を有する内側支承面は、前記プレートの長手方向軸線及び前記装置の長手方向軸線を含む平面に直角な軸線の周りで湾曲している請求項６に記載の組立体。
【請求項９】
前記固定具受け部材は、ねじが形成されたステムであり、
前記固定具は、前記ステムにねじ込まれたナットである、請求項２に記載の組立体。
【請求項１０】
前記相互係合支承面は、固定装置に対して前記プレートの種々の角度をとることができ且つ前記ナットがステムに前記プレートに対して締め付けられるとき選択された角度での固定を可能にする揺動支承面を有する、請求項９に記載の組立体。
【請求項１１】
前記プレートおよび固定装置の外端の前記相互係合揺動支承面は、前記固定装置に対して前記プレートの自在角度を提供するように形成されている請求項１０に記載の組立体。
【請求項１２】
前記固定装置の相互係合揺動支承面はドーム形状であり、
前記固定装置は、前記椎間板スペースへの取付を容易にするための前記ドームの器具受け部材手段を有する請求項１０に記載の組立体。
【請求項１３】
前記ナット及び前記プレートは、前記選択された角度で固定するために前記ナットに対して前記プレートの傾斜に対応する相互係合支承面を有する請求項１０に記載の組立体。
【請求項１４】
前記ナットは、前記ステムに前記プレートに対して前記ナットの取付けと締め付けとのために、その外面に器具受け切欠き部を有する請求項１３に記載の組立体。
【請求項１５】
ナットの外面は、ナットドライバの凹形状受け部材面で受けられるように凹形状である請求項１４に記載の組立体。
【請求項１６】
前記ナット及びプレートの前記相互係合支承面は、前記ナットに凹形状の球形面を有する請求項１３に記載の組立体。
【請求項１７】
前記ナット及びプレートの前記相互係合支承面は、プレートに凹形状の球形面を含む請求項１６に記載の組立体。
【請求項１８】
前記固定装置は、開口を有する壁とおねじとを有する円筒形のケージを含む請求項１７に記載の組立体。
【請求項１９】
内端と外端とを備え、人間の脊柱の２つの椎体の間の椎間板スペースに受けられる椎体間固定装置と、
前記２つの椎体の各々に取り付けられるようになっている取付装置と、を含み、
前記取付装置および前記固定装置が、前記取付装置と前記固定装置との間の種々の傾斜角度に対応するように形成されている相互係合支承面を有し、
さらに、前記装置に設けられた、前記選択された傾斜角度で前記取付装置と前記固定装置とを共に固定する固定具を有する、椎体間固定用組立体。
【請求項２０】
前記支承面は、前記装置の一方に設けられた湾曲した凹形状の支承面を有する請求項１９に記載の組立体。
【請求項２１】
前記装置を共に固定する固定具は、前記装置の上の、相互係合するねじを含む請求項１９に記載の組立体。
【請求項２２】
前記相互係合ねじは、前記取付装置と前記固定装置との間の傾斜角度の程度とは独立して前記装置を一緒に固定しながら、前記軸線と前記軸線の周りで前記取付装置に係合する湾曲した支承面とを有するナットを有する請求項２１に記載の組立体。
【請求項２３】
前記固定装置は、その外端に、外側に面する支承面を備えたドーム形状部分を有し、
前記取付装置は、前記固定装置のドーム形状部分の支承面に係合する、内側に面する支承面を有する、請求項１９に記載の組立体。
【請求項２４】
前記固定装置は、前記端部の一方にねじが形成されたステムを有し、
前記取付装置は細長く、開口を有し、前記開口は該開口を通して前記ステムを受け、
前記ステムにねじ込まれたナットが前記取付装置に係合し、前記取付け装置を前記固定装置に接続し、前記開口は、前記ドーム部分で前記取付装置が種々の位置に動くことを可能にするように十分に大きく、前記ステムは、前記開口の縁部から種々の距離にある、請求項２３に記載の組立体。
【請求項２５】
前記取付装置は、内側に面する前記ナットの凹形状の支承面によって係合された外側に面するドーム形状の支承面を有する請求項２４に記載の組立体。
【請求項２６】
前記固定装置は、開口が形成された骨ケージであり、前記ナットが前記ステムで回転されたとき前記ケージの回転を防止することができるように前記ステムに器具受け部材を有する請求項２５に記載の組立体。
【請求項２７】
前記取付装置は、細長い寸法を横断する回転軸線を備えプレートホルダ設置器具組立体で回転する回転手段を備えたプレートである請求項２６に記載の組立体。
【請求項２８】
近位端と遠位端と長手方向の軸線を有し、前記遠位端に少なくとも２つのプロング有する管と、
椎体間固定装置取付プレートの回転手段とかみあうように各プロングに設けられた第１の回転手段と、
前記管上の回転制御手段と、
前記取付プレートを前記椎体間固定装置に取り付けるナットを受けるために前記管に設けられたナット受け部材と、
前記固定装置のステムにナットを取り付けるための前記管のナットドライバと、
前記固定装置に前記ナットを容易に締め付けるために前記ナット受け部材に接続された固定装置ホルダと、
を有する椎体間固定組立体用器具組立体。
【請求項２９】
前記回転制御手段は、前記プロングと関連し、手術場所でプロング間に一部があるプレート位置から前記長手方向軸線を横断する位置まで前記プレートを回転させながら、前記固定装置の脊柱の設置の椎体間の場所に導入するために、前記第１の回転手段の間のスペースを変え前記回転手段を前記取付プレート上で把持するために前記長手方向軸線に沿って前記プロングに対して可動である、請求項３７に記載の器具組立体。
【請求項３０】
前記ナット受け部材は、前記設置場所まで導入する間前記管に貯蔵するためにねじが形成されている請求項２９に記載の器具組立体。
【請求項３１】
前記固定装置ホルダは、前記ナットを締め付けるために前記固定装置で前記ナットを回転する間、前記ナット受け部材の端部に固定され、前記固定装置に非回転的に一時的に接続するための形状である請求項３０に記載の器具組立体。
【手続補正２】
【補正対象書類名】図面
【補正対象項目名】図２
【補正方法】変更
【補正の内容】
【図２】
2002528172.tif 000001
【手続補正３】
【補正対象書類名】図面
【補正対象項目名】図１３
【補正方法】変更
【補正の内容】
【図１３】
2002528172.tif 000002